(57)【要約】【課題】ユーザの生活パターンに対応して、的確に過去の熱負荷実績の積算を行うことにより、熱負荷の予測を行うことが可能な貯湯式電気温水器の運転学習技術を提供する。【解決手段】熱負荷記憶手段４４には、各時間帯の積算熱負荷実績が各曜日の各時間帯毎に記憶されている。週間積算手段４５は、各日の所定時刻において、各時間帯毎に各曜日の当該時間帯における熱負荷を積算し、当該時間帯の週間積算熱負荷として出力する。学習更新時刻決定手段４６は、各時間帯のうち、週間積算熱負荷が最小である時間帯を抽出し、抽出された時間帯内の所定の時刻を学習更新時刻とする。運転計画策定手段４７は、学習更新時刻を起算点として過去の熱負荷実績の１日分の積算を行い、その１日の積算値に基づいて、前記運転計画の作成又は更新を行う。【選択図】図２
2008256270.tif 000002
【特許請求の範囲】
【請求項１】
温水を貯湯する貯湯タンクと、
前記貯湯タンクに給熱を行う加熱装置と、
各時刻において、前記貯湯タンクから出湯された温水の熱量である熱負荷を検出する熱負荷検出手段と、
前記熱負荷検出手段が検出する熱負荷を各時間帯毎に積算する熱負荷積算手段と、
前記熱負荷積算手段により積算された熱負荷を、各日の各時間帯毎に記憶する熱負荷記憶手段と、
前記熱負荷記憶手段に記憶された各日の各時間帯毎の熱負荷に基づいて前記加熱装置の運転計画の作成又は更新を行う運転計画策定手段と、
を備えた貯湯式給湯器であって、
各日の所定の時刻において、各時間帯毎に、各日の当該時間帯における熱負荷を積算し、当該時間帯の期間積算熱負荷として出力する期間積算手段と、
各時間帯のうち、前記期間積算熱負荷が最小である時間帯を抽出し、抽出された時間帯内の所定の時刻を学習更新時刻に決定する学習更新時刻決定手段と、を備え、
前記運転計画策定手段は、前記学習更新時刻を起算点として過去の熱負荷実績の１日分の積算を行い、その１日の積算値に基づいて、前記運転計画の作成又は更新を行うことを特徴とする貯湯式給湯器。
【請求項２】
前記期間積算手段は、ｉ番目の時間帯とその直前のｉ−１番目の時間帯の期間積算熱負荷の和又は平均値を、ｉ番目の時間帯の平均熱負荷として算出し、
前記学習更新時刻決定手段は、各時間帯のうち、前記平均熱負荷が最小である時間帯を抽出し、抽出された時間帯の開始時刻を学習更新時刻に決定することを特徴とする請求項１記載の貯湯式給湯器。
【請求項３】
温水を貯湯する貯湯タンクと、
前記貯湯タンクに給熱を行う加熱装置と、
各時刻において、前記貯湯タンクから出湯された温水の熱量である熱負荷を検出する熱負荷検出手段と、
前記熱負荷検出手段が検出する熱負荷を各時間帯毎に積算する熱負荷積算手段と、
前記熱負荷積算手段により積算された熱負荷を、各日の各時間帯毎に記憶する熱負荷記憶手段と、
前記熱負荷記憶手段に記憶された各日の各時間帯毎の熱負荷に基づいて前記加熱装置の運転計画の作成又は更新を行う運転計画策定手段と、
を備えた貯湯式給湯器の運転学習方法であって、
各日の所定の時刻において、各時間帯毎に、各日の当該時間帯における熱負荷を積算し、当該時間帯の期間積算熱負荷として出力する期間積算ステップと、
各時間帯のうち、前記期間積算熱負荷が最小である時間帯を抽出し、抽出された時間帯内の所定の時刻を学習更新時刻に決定する学習更新時刻決定ステップと、
前記運転計画策定手段が、前記学習更新時刻を起算点として過去の熱負荷実績の１日分の積算を行い、その１日の積算値に基づいて、前記運転計画の作成又は更新を行う運転計画更新ステップと、
を有することを特徴とする貯湯式給湯器の運転学習方法。
【請求項４】
前記期間積算ステップにおいては、ｉ番目の時間帯とその直前のｉ−１番目の時間帯の期間積算熱負荷の和又は平均値を、ｉ番目の時間帯の平均熱負荷として算出し、
前記学習更新時刻決定ステップにおいては、各時間帯のうち、前記平均熱負荷が最小である時間帯を抽出し、抽出された時間帯の開始時刻を学習更新時刻に決定することを特徴とする請求項３記載の貯湯式給湯器の運転学習方法。
【発明の詳細な説明】
【技術分野】
【０００１】
本発明は、ヒートポンプや電熱ヒータ等の加熱装置により給湯タンク内に温水を生成し該給湯タンクから給湯を行う貯湯式給湯器の運転学習技術に関する。
【背景技術】
【０００２】
従来から、ヒートポンプや電熱ヒータ等の加熱装置により給湯タンク内に温水を生成して蓄熱を行い、この貯湯タンクに蓄熱された温水熱を給湯や暖房等に利用する貯湯式給湯器が広く使用されている。かかる貯湯式給湯器では、貯湯タンクへの蓄熱は、主として電気料金の安価な深夜時間帯や熱負荷のない時間帯などの特定の時間帯に行われ、運転コストを抑える工夫がなされている。
【０００３】
ところで、貯湯タンクに貯湯された温水熱は、時間とともに自然放熱により拡散し減少する。貯湯タンクの蓄熱量が大きいほど熱拡散速度が速くなるため放熱ロスは大きくなる。したがって、熱負荷に対して過剰に貯湯タンクへの蓄熱を行うと、放熱ロスが大きくなるため、機器効率（ＣＯＰ：Coefficient of Performance）の低下を招き、運転コストも上昇する。
【０００４】
一方、熱負荷に対して貯湯タンクへの蓄熱量が不足している場合、貯湯タンクで湯切れが生じる。湯切れが生じた場合、補充的に温水の沸き上げを行う必要がある。しかしながら、一般に加熱装置による沸き上げの速度は遅く、貯湯タンクへの蓄熱には相当の時間が必要である。したがって、補助熱源装置による温水の沸き上げを行う必要が生じ、運転コストが上昇する。
【０００５】
したがって、１日のどの時間帯にどの程度の熱負荷が生じるかをできる限りよい精度で予測して、その予測熱負荷に基づいて加熱装置による夜間の温水沸き上げの熱量を決定する必要がある。
【０００６】
そのため、従来の貯湯式給湯器においては、過去の熱負荷を測定して記憶しておき、この過去の熱負荷の実績値から各日の熱負荷を予測して沸き上げ運転の計画を策定する運転学習機能を備えている（特許文献１〜２参照）。
【０００７】
例えば、特許文献２では、過去数日間の熱負荷実績に基づいて、深夜時間帯での沸き上げ量を決定している。また、特許文献１，３，４では、曜日ごとに熱負荷実績を学習し、深夜時間帯での沸き上げ量を決定している。
【特許文献１】特開２００７−３２８７９号公報
【特許文献２】特開２００３−９０６２０号公報
【特許文献３】特開平８−３２７１５０号公報
【特許文献４】特開２００２−１６８５２４号公報
【発明の開示】
【発明が解決しようとする課題】
【０００８】
ところで、過去の熱負荷実績から次の１日の熱負荷のための沸き上げ熱量を決定する場合、各曜日において、過去の熱負荷実績を２４時間分積算する必要がある。この場合、何時から何時までの熱負荷実績を積算するかが問題となる。
【０００９】
例えば、熱負荷実績の積算の起算点を午後１１時（２３時）としたとする。この場合、月曜日の１日の熱負荷実績は、前日の日曜日の２３時から翌日の月曜日の２３時までの熱負荷実績の積算値となる。火曜日から日曜日についても同様である。ところで、使用者が、例えば月曜日は２３時前に浴槽の湯張りを行い、火曜日は２３時を過ぎてから浴槽の湯張りを行い、水曜日は２３時前に浴槽の湯張りを行った場合を想定する。浴槽の湯張りには、貯湯タンク内の温水を多量に消費するため、熱負荷としては顕著である。したがって、この場合、火曜日の熱負荷実績の積算値には浴槽の湯張りによる熱負荷実績が含まれないため、積算値は小さな値となる。一方、水曜日の熱負荷実績の積算値には浴槽の湯張りによる熱負荷実績が２度含まれるため、積算値は顕著に大きな値となる。このように、熱負荷実績が大きくなる可能性のある時間帯を積算の起算点とすると、積算値が曜日によって極めて大きくばらつく場合が生じ、正確な熱負荷の予測が不可能となる。したがって、積算の起算点は、できる限り熱負荷実績が小さい時間帯とすることが、正確な熱負荷の予測を行う上で極めて重要である。
【００１０】
従来、この積算は、熱負荷の少ない時刻を適当に定め、その定めた時間から２４時間分の熱負荷実績の積算を行っていた。具体的には、一般に午前５時が、熱負荷実績が最も少ない時間帯であることから、午前５時頃はユーザが熱を使用していないと想定した上で、午前５時を起算点として２４時間分の熱負荷実績を積算し、それを１日分の熱負荷実績としていた。
【００１１】
しかしながら、生活パターンはユーザによって異なり、本当に午前５時が起算点として最適な時刻であるか否かは不明である。例えば、ユーザが夜勤などで昼夜の生活パターンが逆転している場合には、午前５時に大きな熱負荷が生じている可能性もある。そのような場合、過去の熱負荷実績から正確な熱負荷の予測ができなくなるおそれがある。
【００１２】
そこで、本発明の目的は、ユーザの生活パターンに対応して、的確に過去の熱負荷実績の積算を行うことにより、熱負荷の予測を行うことが可能な貯湯式給湯器の運転学習技術を提供することにある。
【課題を解決するための手段】
【００１３】
本発明に係る貯湯式給湯器は、温水を貯湯する貯湯タンクと、前記貯湯タンクに給熱を行う加熱装置と、各時刻において、前記貯湯タンクから出湯された温水の熱量である熱負荷を検出する熱負荷検出手段と、前記熱負荷検出手段が検出する熱負荷を各時間帯毎に積算する熱負荷積算手段と、前記熱負荷積算手段により積算された熱負荷を、各日の各時間帯毎に記憶する熱負荷記憶手段と、前記熱負荷記憶手段に記憶された各日の各時間帯毎の熱負荷に基づいて前記加熱装置の運転計画の作成又は更新を行う運転計画策定手段と、を備えた貯湯式給湯器であって、各日の所定の時刻において、各時間帯毎に、各日の当該時間帯における熱負荷を積算し、当該時間帯の期間積算熱負荷として出力する期間積算手段と、各時間帯のうち、前記期間積算熱負荷が最小である時間帯を抽出し、抽出された時間帯内の所定の時刻を学習更新時刻に決定する学習更新時刻決定手段と、を備え、前記運転計画策定手段は、前記学習更新時刻を起算点として過去の熱負荷実績の１日分の積算を行い、その１日の積算値に基づいて、前記運転計画の作成又は更新を行うことを特徴とする。
【００１４】
この構成によれば、学習更新時刻決定手段により、１週間〜１ヶ月程度の所定期間の熱負荷実績が最も小さい時間帯が学習更新時刻として設定される。そして、運転計画策定手段は、この学習更新時刻を起算点として過去の熱負荷実績の１日分の積算を行い、その１日の積算値に基づいて、前記運転計画の作成又は更新を行う。したがって、ユーザの生活パターンに適応して、最適な学習更新時刻が設定され、過去の熱負荷実績の１日分の積算が行われるため、的確に熱負荷の予測を行うことが可能となる。
【００１５】
また、本発明において、前記期間積算手段は、ｉ番目の時間帯とその直前のｉ−１番目の時間帯の期間積算熱負荷の和又は平均値を、ｉ番目の時間帯の平均熱負荷として算出し、前記学習更新時刻決定手段は、各時間帯のうち、前記平均熱負荷が最小である時間帯を抽出し、抽出された時間帯の開始時刻を学習更新時刻に決定することができる。
【００１６】
本発明に係る貯湯式給湯器の運転学習方法は、温水を貯湯する貯湯タンクと、前記貯湯タンクに給熱を行う加熱装置と、各時刻において、前記貯湯タンクから出湯された温水の熱量である熱負荷を検出する熱負荷検出手段と、前記熱負荷検出手段が検出する熱負荷を各時間帯毎に積算する熱負荷積算手段と、前記熱負荷積算手段により積算された熱負荷を、各日の各時間帯毎に記憶する熱負荷記憶手段と、前記熱負荷記憶手段に記憶された各日の各時間帯毎の熱負荷に基づいて前記加熱装置の運転計画の作成又は更新を行う運転計画策定手段と、を備えた貯湯式給湯器の運転学習方法であって、各日の所定の時刻において、各時間帯毎に、各日の当該時間帯における熱負荷を積算し、当該時間帯の期間積算熱負荷として出力する期間積算ステップと、各時間帯のうち、前記期間積算熱負荷が最小である時間帯を抽出し、抽出された時間帯内の所定の時刻を学習更新時刻に決定する学習更新時刻決定ステップと、前記運転計画策定手段が、前記学習更新時刻を起算点として過去の熱負荷実績の１日分の積算を行い、その１日の積算値に基づいて、前記運転計画の作成又は更新を行う運転計画更新ステップと、を有することを特徴とする。
【発明の効果】
【００１７】
以上のように、本発明によれば、学習更新時刻決定手段により、１週間〜１ヶ月程度の所定期間の熱負荷実績が最も小さい時間帯を学習更新時刻として設定し、この学習更新時刻を起算点として過去の熱負荷実績の１日分の積算を行い、その１日の積算値に基づいて、前記運転計画の作成又は更新を行ことで、ユーザの生活パターンに適応して積算起算点を決定して過去の熱負荷実績の１日分の積算を行うため、常に的確な熱負荷の予測を行うことが可能となる。
【発明を実施するための最良の形態】
【００１８】
以下、本発明を実施するための最良の形態について、図面を参照しながら説明する。
【実施例１】
【００１９】
図１は、本発明の実施例１に係る貯湯式給湯器１の装置構成を表す図である。貯湯式給湯器１は、温水を貯湯する貯湯タンク２を備えている。この貯湯タンク２は、成層式貯湯により蓄熱を行う。貯湯タンク２の側壁には、タンクの各高さにおける貯湯温度を検出するための温度センサ５ａ，５ｂ，５ｃ，５ｄが設けられている。
【００２０】
貯湯タンク２の底部には給水管３が接続されており、上水道から水が供給される。この給水管３には、給水管３を通断する開閉弁である給水元弁４が設けられている。また、給水管３には、給水管３から貯湯タンク２へ給水される水の流量を検出する給水流量センサ６と、給水管３から貯湯タンク２へ給水される水の温度を検出する温度センサ７が設けられている。
【００２１】
また、貯湯式給湯器１は、一端が貯湯タンク２の底部に連通し、他端が貯湯タンク２の頂部に連通する給熱回路１１を備えている。この給熱回路１１には、貯湯タンク２の底部に連通する端部側から、流量センサ１４、給熱循環ポンプ１２、加熱装置１０、及び給熱回路弁１３が設けられている。流量センサ１４は、給熱回路１１を流れる水量を検出するセンサである。給熱循環ポンプ１２は、給熱回路１１内の水を貯湯タンク２の底部側から頂部側へ圧送する。加熱装置１０は、ヒートポンプや電熱ヒータ等の熱源によって水の加熱を行う熱源器である。この加熱装置１０により、給熱回路１１内を流れる水へ給熱が行われる。給熱回路弁１３は、給熱回路１１を通断する開閉弁である。
【００２２】
貯湯タンク２の底部に貯留する低温の水は、給熱循環ポンプ１２によって給熱回路１１内に引き込まれ、加熱装置１０による給熱によって高温の温水とされた後、貯湯タンク２の頂部に戻される。これにより、貯湯タンク２内の水（温水）の沸き上げが行われ、貯湯タンク２に蓄熱がされる。尚、貯湯タンク２の頂部の給熱回路１１へ開口する管口には、温水の温度を検出する温度センサ１６が備えられている。
【００２３】
また、貯湯タンク２の頂部には、貯湯タンク２内の温水を給湯栓（図示せず）に送水する給湯管２１が接続されている。この給湯管２１には、給湯弁２２及び流量センサ２３が設けられている。給湯弁２２は給湯管２１を通断する開閉弁である。流量センサ２３は、給湯管２１を通って給湯栓へ供給される温水の流量を検出するセンサである。
【００２４】
更に、貯湯タンク２の頂部から貯湯タンク２の底部にかけて、前記給熱回路１１と並列に追焚回路３１が設けられている。追焚回路３１は、一端が貯湯タンク２の頂部、他端が貯湯タンク２の底部に連通する。この追焚回路３１には、貯湯タンク２の頂部の側から、追焚回路弁３４、追焚熱交換器３０、追焚循環ポンプ３３、及び流量センサ３５が設けられている。追焚回路弁３４は、追焚回路３１の通断を行う開閉弁である。追焚熱交換器３０は、風呂回路３２を循環する浴槽水と、追焚回路３１を流れる温水との間で熱交換を行う熱交換器である。尚、風呂回路３２は、両端が浴槽（図示せず）に接続されており、風呂循環ポンプ３６によって浴槽内の浴槽水を吸い込み、追焚熱交換器３０を通した後に浴槽に戻す循環管路である。追焚循環ポンプ３３は、追焚回路３１内の水を貯湯タンク２の頂部側から底部側へ圧送する。流量センサ３５は、追焚回路３１内を流れる水（温水）の流量を検出するセンサである。
【００２５】
また、貯湯式給湯器１は、装置全体の制御を行う制御部３７を備えている。
【００２６】
図２は、図１の貯湯式給湯器１における運転学習機構の機能構成を表すブロック図である。図２において、給水流量センサ６、温度センサ７、温度センサ１６、流量センサ２３、流量センサ３５、及び制御部３７は、図１と同様である。
【００２７】
制御部３７は、運転学習機構として、熱負荷検出部４１、熱負荷積算部４２、時計４３、熱負荷記憶部４４、期間積算部４５、学習更新時刻決定部４６、及び運転計画策定部４７を備えている。
【００２８】
熱負荷検出部４１は、給水流量センサ６，流量センサ２３，３５及び温度センサ７，１６の検出値に基づいて、各時点における熱負荷を算出する。
【００２９】
熱負荷積算部４２は、熱負荷検出部４１により検出される熱負荷を、時計４３から出力される時刻情報を参照して１時間毎に積算し、熱負荷記憶部４４に保存する。本例では所定期間を１週間として説明する。ここで、熱負荷の１時間当たりの積算値は、曜日ごとに熱負荷記憶部４４に保存される。すなわち、月曜日から日曜日まで、各曜日に対して２４個、合計１６８個の積算値が記憶される。
【００３０】
以下では、０時〜１時、１時〜２時、…、２３時〜２４時の各時間帯をＴＺ１，ＴＺ２，…，ＴＺ２４と記す。月曜の時間帯ＴＺ１，ＴＺ２，…，ＴＺ２４の熱負荷の積算値をＱ（１，１），Ｑ（１，２），…，Ｑ（１，２４）、火曜の時間帯ＴＺ１，ＴＺ２，…，ＴＺ２４の熱負荷の積算値をＱ（２，１），Ｑ（２，２），…，Ｑ（２，２４）、…、日曜の時間帯ＴＺ１，ＴＺ２，…，ＴＺ２４の熱負荷の積算値をＱ（７，１），Ｑ（７，２），…，Ｑ（７，２４）のように記す。
【００３１】
期間積算部４５は、各日の午前０時において、各時間帯ＴＺ１〜ＴＺ２４毎に、各曜日の当該時間帯ＴＺｉ（ｉ＝１，…，２４）における熱負荷Ｑ（ｉ，１）〜Ｑ（ｉ，７）を積算し、当該時間帯ＴＺｉの期間積算熱負荷Ｑｗ（ｉ）として出力する。
【００３２】
学習更新時刻決定部４６は、各時間帯ＴＺｉ（ｉ＝１，…，２４）のうち、期間積算熱負荷Ｑｗ（ｉ）が最小である時間帯ＴＺｐを抽出し、抽出された時間帯ＴＺｐ内の中央時刻を学習更新時刻ｔｓに決定する。
【００３３】
運転計画策定部４７は、学習更新時刻ｔｓを起算点として過去の熱負荷実績の１日分の積算を行い、その１日の積算値に基づいて、前記運転計画の作成又は更新を行う。
【００３４】
以上のように構成された本実施例に係る貯湯式給湯器１について、以下その運転学習方法を説明する。
【００３５】
（１）熱負荷実績の測定
時刻ｔにおいて、熱負荷検出部４１は、給水流量センサ６，流量センサ２３，３５及び温度センサ７，１６の検出値に基づいて、時刻ｔにおける熱負荷ｑ（ｔ，ｊ）を算出する。ここで、ｊは曜日を表すインデックスであり、月曜日がｊ＝１，火曜日がｊ＝２，…，日曜日がｊ＝７とする。
【００３６】
熱負荷積算部４２は、各時間帯ＴＺｉごとに、熱負荷検出部４１が算出する熱負荷ｑ（ｔ，ｊ）を積算し、時間帯熱負荷積算値Ｑ（ｉ，ｊ）を算出する。すなわち、時間帯熱負荷積算値Ｑ（ｉ，ｊ）は次式により計算される。
【００３７】
【数１】
2008256270.tif 000003
ここで、ｔｉは時間帯ＴＺｉの開始時刻である。
【００３８】
算出された時間帯熱負荷積算値Ｑ（ｉ，ｊ）は、熱負荷記憶部４４に記憶される。ここで、熱負荷記憶部４４には、（表１）のような熱負荷テーブルが格納されており、熱負荷積算部４２により算出された時間帯熱負荷積算値Ｑ（ｉ，ｊ）は、この熱負荷テーブルの各アドレスに格納される。
【００３９】
【表１】
2008256270.tif 000004
【００４０】
（２）熱負荷の予測
熱負荷の予測は、各日の午前０時に行われる。
【００４１】
例えば、時計４３が計時する時刻が午前０時になると、期間積算部４５は、熱負荷記憶部４４に記憶されている熱負荷テーブルを参照し、各時間帯ＴＺｉ（ｉ＝１，…，２４）における期間積算熱負荷Ｑｗ（ｉ）を次式により算出する。
【００４２】
【数２】
2008256270.tif 000005
ここで、argmini(Qw(i))は、Qw(i)を最小にするｉを表す。
【００４３】
次に、学習更新時刻決定部４６は、算出された期間積算熱負荷Ｑｗ（ｉ）（ｉ＝１，…，２４）に基づいて、次式により学習更新時刻ｔｓに決定する。
【００４４】
【数３】
2008256270.tif 000006
【００４５】
最後に、運転計画策定部４７は、学習更新時刻ｔｓを起算点として過去の熱負荷実績の１日分の積算を行い、その日の予測熱負荷Ｑest（ｊ）を算出する。ｊは当日の曜日を表す。ここで、学習更新時刻ｔｓが属する時間帯をＴＺｐとすると、予測熱負荷Ｑest（ｊ）は次式のように算出される。
【００４６】
【数４】
2008256270.tif 000007
【００４７】
尚、予測熱負荷Ｑest（ｊ）の算出方法に関しては、１週間前の同じ曜日の熱負荷を加算した上記式（４）のほか、各時間帯、各日の加重平均とすることもできる。
【００４８】
例えば、ｎ日間の負荷実績の１日分の総量順にＭＡＸソートを行い、負荷総量の大きい順に以下の荷重を与える。
【００４９】
【表２】
2008256270.tif 000008
【００５０】
この場合、予測熱負荷Ｑest（ｊ）は、次式によって算出することができる。
【００５１】
【数５】
2008256270.tif 000009
【００５２】
上記式（５ａ）をｎ日間データの１時間毎の負荷に適用することで、時系列予測負荷（１時間毎）を生成する。
【００５３】
また、上記式（５ａ）は、負荷の大小にて加重を変えているが、ｎ日間の負荷実績の順番に加重を与えてもよい（例えば、１週間前のデータに重みをおく等）。
【００５４】
以上より、予測熱負荷Ｑest（ｊ）が定まったので、この予測熱負荷Ｑest（ｊ）に基づき貯湯タンク２の温水の沸上温度を算出し、加熱装置１０による沸き上げが行われる。尚、沸上温度の算出に関しては、既に公知の種々の方法を用いることができる。
【００５５】
尚、本実施例において、期間積算部４５は、時間帯ＴＺｉの平均熱負荷Qw’（ｉ）を、次式（６ａ）又は（６ｂ）により算出し、学習更新時刻決定部４６は、各時間帯ＴＺｉ（ｉ＝１，…，２４）のうち、平均熱負荷Qw’（ｉ）が最小である時間帯ＴＺｐ’を抽出し、抽出された時間帯ＴＺｐ’内の開始時刻を学習更新時刻ｔｓに決定するようにしてもよい。
【００５６】
【数６】
2008256270.tif 000010
【００５７】
【数７】
2008256270.tif 000011
【００５８】
この場合、運転計画策定部４７は、次のようにして予測熱負荷Ｑest（ｊ）を算出することができる。
【００５９】
【数８】
2008256270.tif 000012
【００６０】
尚、予測熱負荷Ｑest（ｊ）の算出方法に関しては、１週間前の同じ曜日の熱負荷を加算した上記式（８）のほか、式（４）の場合と同様、各時間帯、各日の加重平均とすることもできる。
【図面の簡単な説明】
【００６１】
【図１】本発明の実施例１に係る貯湯式給湯器の装置構成を表す図である
【図２】図１の貯湯式給湯器１における運転学習機構の機能構成を表すブロック図である。
【符号の説明】
【００６２】
１  貯湯式給湯器
２  貯湯タンク
３  給水管
４  給水元弁
５ａ，５ｂ，５ｃ，５ｄ  温度センサ
６  給水流量センサ
７  温度センサ
１０  加熱装置
１１  給熱回路
１２  給熱循環ポンプ
１３  給熱回路弁
１４  流量センサ
１６  温度センサ
２１  給湯管
２２  給湯弁
２３  流量センサ
３０  追焚熱交換器
３１  追焚回路
３２  風呂回路
３３  追焚循環ポンプ
３４  追焚回路弁
３５  流量センサ
３６  風呂循環ポンプ
３７  制御部
４１  熱負荷検出部
４２  熱負荷積算部
４３  時計
４４  熱負荷記憶部
４５  期間積算部
４６  学習更新時刻決定部
４７  運転計画策定部
【図１】
2008256270.tif 000013
【図２】
2008256270.tif 000014